(57)【要約】【課題】趣向を凝らした意匠性の高い紙製容器を提供する。【解決手段】底板部１４から垂直に立設された複数の側壁４，５，６，７によって構成される胴体部９の軸心に向かって上方傾斜して設けられる天板１６，１７，２２，２３を備えた天板部２４を有し、隣り合う該天板１６，１７同士が連続することで該天板部２４は山型をなし、該天板１６，１７，２２，２３の上端縁によって囲まれた空隙により該天板部２４の開口２４ａが構成される紙製容器１を提供するものである。【選択図】図７
2015024837.tif 000002
【特許請求の範囲】
【請求項１】
底板部と、該底板部から略垂直に立設された複数の側壁によって筒状とされた胴体部と、該胴体部の上部に形成され、中央に開口を有する天板部と、を備えた紙製容器であって、
該天板部は、各側壁から該胴体部の軸心に向かって上方傾斜する複数の天板によって構成され、隣り合う該天板同士が連続することで該天板部は山型をなし、各天板の上端縁によって囲まれた空隙により該天板部の開口が構成されている
ことを特徴とする紙製容器。
【請求項２】
前記天板部は、各側壁から延設された単独天板を複数有し、各単独天板の側縁からはベース板が延出され、互いに異なる単独天板の各ベース板が隣り合った状態で該ベース板同士がつなぎ合わされて接続複合板が構成されている
請求項１に記載の紙製容器。
【請求項３】
前記胴体部内には、前記接続複合板を支持可能な支持面を有する中板部材が収容されており、該中板部材には内容物通過口が設けられ、前記接続複合板を構成するベース板の外縁部が、該支持面に当接する当接部とされている
請求項２に記載の紙製容器。
【請求項４】
ティッシュペーパー容器としての紙製容器であって、
前記胴体部内であって前記中板部材の下側空間には連続取出し可能なティッシュペーパーが内容物として積層状に収容され、該中板部材の内容物通過口の周囲には、前記天板部の開口から取り出されるティッシュペーパーを保持するティッシュペーパー保持手段が設けられている
請求項３に記載の紙製容器。
【請求項５】
請求項４に記載の紙製容器に用いられる中板部材であって、
ティッシュペーパーが通過可能な内容物通過口が略中央に設けられていると共に、該内容物通過口の周囲に、該内容物通過口に挿通されたティッシュペーパーを保持することが可能なティッシュペーパー保持手段が設けられていることを特徴とする中板部材。
【発明の詳細な説明】
【技術分野】
【０００１】
本発明は、意匠性の高い紙製容器、特にティッシュペーパーを収容するための紙製容器に関する。
【背景技術】
【０００２】
従来から、デザインに工夫を凝らした紙製容器は、各種提案されている。このような紙製容器は、一例として、ティッシュケースとして使用されることはよく知られている。
【０００３】
例えば特許文献１には、箱体にフラップ片を重合し、該フラップ片を、鯨や自動車をかたどった形状としているものが開示されている。
【０００４】
特許文献２には、上蓋や下蓋に指起し片を設け、該指起し片を起立させることで任意形状の前板や側板とされているティッシュ・ペーパー容器が開示されている。
【０００５】
特許文献３には、ティッシュペーパーを収納した箱を電車の形に形成したものが開示されている。
【０００６】
また、ティッシュペーパー容器を収容するケースとして、特許文献４には、蓋体の上面に装飾のためのマスコットを取り付けた構成が開示されている。
【０００７】
また、特許文献５には、箱型ティッシュペーパー容器の装飾具が開示されている。該装飾具は、ティッシュペーパーが収納された箱型の容器の取出口上に冠して覆う開口部を備えた装飾体が着脱自在に設けられている。
【先行技術文献】
【特許文献】
【０００８】
【特許文献１】特開平１０−１９４３６５号公報
【特許文献２】実開昭６４−４７６８２号公報
【特許文献３】実開平１−１７９５９１号公報
【特許文献４】実開昭６２−１３７２６６号公報
【特許文献５】実開昭６２−１５２９７１号公報
【発明の概要】
【発明が解決しようとする課題】
【０００９】
上記したように、従来から多種の紙製容器は提案されているが、さらに斬新で意匠性の高い紙製容器が市場で求められている。
【００１０】
そこで本発明は、意匠性の高い紙製容器を提供することを目的とする。
【課題を解決するための手段】
【００１１】
本発明は、底板部と、該底板部から略垂直に立設された複数の側壁によって筒状とされた胴体部と、該胴体部の上部に形成され、中央に開口を有する天板部と、を備えた紙製容器であって、該天板部は、各側壁から該胴体部の軸心に向かって上方傾斜する複数の天板によって構成され、隣り合う該天板同士が連続することで該天板部は山型をなし、各天板の上端縁によって囲まれた空隙により該天板部の開口が構成されていることを特徴とする紙製容器である。
【００１２】
かかる構成とすることにより、天板部を立体的に山型とし、しかもその天板部の頂上部に開口を設けることができ、胴体部内に収容される内容物を前記開口を介して出し入れ可能としつつ、意匠性の高い外観形状を有する紙製容器とすることができる。
【００１３】
また、前記天板部は、各側壁から延設された単独天板を複数有し、各単独天板の側縁からはベース板が延出され、互いに異なる単独天板の各ベース板が隣り合った状態で該ベース板同士がつなぎ合わされて接続複合板が構成されていることが望ましい。
【００１４】
かかる構成にあって、複数の板材がつなぎ合わされた接続複合板は、単数の板材のみからなる天板に比して剛性が向上しており、強度が高い。このため、全体として紙製容器における天板部の強度を高めることが可能となる。
【００１５】
さらに、前記胴体部内には、前記接続複合板を支持可能な支持面を有する中板部材が収容されており、該中板部材には内容物通過口が設けられ、前記接続複合板を構成するベース板の外縁部が、該支持面に当接する当接部とされていることが望ましい。
【００１６】
かかる構成にあっては、山型の天板部が構成された状態において接続複合板を構成するベース板が前記支持面に当接可能であるため、該天板部に対して外力が与えられ、該天板部を押しつぶすような力が作用した場合にも、該接続複合板は前記支持面からの反力を得て山型形状を維持しようとするため、前記天板部が過剰に撓んで押しつぶされてしまうことが抑制される。なお、前記中板部材には、胴体部に収容された内容物を通過させる内容物通過口が設けられているため、前記天板部の開口を通じて内容物を円滑に取り出し可能とすることができる。
【００１７】
また、ティッシュペーパー容器としての紙製容器であって、前記胴体部内であって前記中板部材の下側空間には連続取出し可能なティッシュペーパーが内容物として積層状に収容され、該中板部材の内容物通過口の周囲には、前記天板部の開口から取り出されるティッシュペーパーを保持するティッシュペーパー保持手段が設けられていることが望ましい。
【００１８】
かかる構成とすることにより、前記天板部の立体的な山型形状部分を山と見立てて、該天板部の開口を介して持ち上げられたティッシュペーパーをあたかも山頂を覆う雪や雲の如く見せることができ、これまでにない興趣性が生まれ、しかも意匠性が高い斬新な紙製容器を提供することが可能となる。
【００１９】
また、本発明は、上記の紙製容器に用いられる中板部材であって、ティッシュペーパーが通過可能な内容物通過口が略中央に設けられていると共に、該内容物通過口の周囲に、該内容物通過口に挿通されたティッシュペーパーを保持することが可能なティッシュペーパー保持手段が設けられていることを特徴とする中板部材である。
【００２０】
かかる構成とすることにより、ティッシュペーパーが連続して引き出されず次に使用予定のティッシュペーパーが前記天板部の開口から落下して容器内に留まってしまうことが抑止され、胴体部内に落ち込んでしまったティッシュペーパーを掻き出すような面倒な作業が不要となる。特に、本発明の紙製容器は、天板部が山型であり、その上端に開口が設けられているため、従来からある汎用の直方体形状のティッシュケースに比べてティッシュペーパーが突き出される開口の位置が上方寄りに配置される。このため、本発明においてティッシュペーパーが胴体部内に一旦落ち込んでしまうと開口からの取り出し作業が極めて面倒となる。したがって、本発明の中板部材を採用することにより、上記問題を適切に解消することができる。
【発明の効果】
【００２１】
本発明の紙製容器は、開口を有する天板部が立体的な山型形状とされているため、意匠性の高い紙製容器となる。
【００２２】
また、本発明の中板部材は、ティッシュペーパーが天板部の開口から落下して胴体部内に留まってしまうことを好適に抑止できる効果がある。
【図面の簡単な説明】
【００２３】
【図１】本体における紙シートの展開図である。
【図２】中板部材における紙シートの展開図である。
【図３】天板部が折り畳まれた状態の紙製容器を上から見た斜視図である。
【図４】天板部が折り畳まれた状態の紙製容器を下から見た斜視図である。
【図５】天板部を展開した状態の紙製容器の平面図である。
【図６】ベース板をつなぎ合わせた状態の紙製容器の斜視図である。
【図７】組み立てられた紙製容器の斜視図である。
【図８】組み立てられた紙製容器の正面図である。
【図９】紙製容器の部分縦断面図である。
【図１０】接続複合板近傍を示す説明図である。
【発明を実施するための形態】
【００２４】
以下、本発明を具体化した実施例を詳細に説明する。なお、本発明は、下記に示す実施例に限定されることはなく、適宜設計変更が可能である。また、本実施例において、「山折り」、「谷折り」とは紙製容器外側から見て山状（凸状）に折る場合を「山折り」、谷状（凹状）に折る場合を「谷折り」とする。
【００２５】
ティッシュペーパー容器としての紙製容器１は、図１に示すような紙シート（ブランク）３によって本体２が作製される。該紙シート３は、一枚の紙材料からなる原紙を所定形状に型抜きして得られ、折り曲げ加工を容易とするために折曲線（折り目）が所要箇所に複数設けられている。以下、該紙シート３について詳述する。
【００２６】
〔側壁〕
図１に示すように、前記紙シート３は、矩形状の側壁４，５，６，７を有している。具体的には、一対の長手状の側壁４，６と、一対の短手状の側壁５，７とが交互に配置されている。また、該側壁４〜７は、互いに側壁折曲線４ａ，５ａ，６ａ，７ａを介して左右方向に連続状に形成されている。なお、図１に示すように、最も右端に配された側壁７の右側の側壁折曲線７ａには接着しろ８が設けられており、該接着しろ８を介して、該側壁７と、最も左端に配された側壁４とが接着される。
【００２７】
そして前記紙シート３は、前記接着しろ８を介して筒状とされると共に、前記側壁折曲線４ａ〜７ａに沿って山折りに折り曲げられることで、平面視矩形状で筒状の胴体部９が構成される。
【００２８】
〔底板部〕
前記紙シート３にあっては、各側壁４〜７の下部に底板１０，１１，１２，１３がそれぞれ設けられている。なお、各底板１０〜１３は、それぞれ底板折曲線１０ａ，１１ａ，１２ａ，１３ａを介して各側壁４〜７に対して連続状に形成されている。なお、最も左端に配された前記底板１０には、外向きに張り出した突出片１０ｂが設けられていると共に、右から２番目に配された底板１２には、前記突出片１０ｂと略等しい幅の切欠凹部１２ｂが設けられている。
【００２９】
そして、図４に示すように、上述の底板１０〜１３が胴体部９側へ山折りされ、これと共に前記底板１０の突出片１０ｂが前記底板１２の切欠凹部１２ｂに係合することで、底板部１４が構成される。なお、このとき前記側壁４〜７は、底板部１４を基準にして略垂直に立設し、全体として略直方体形状の箱体が得られる。なお、側壁４〜７は、底板部１４に対して厳密に垂直に立設している必要はなく、実質的に垂直であればよい。
【００３０】
〔天板部〕
図１に示すように、長手状の各側壁４，６の上部には、それぞれ単独天板１６，１７が天板折曲線１６ａ，１７ａを介してそれぞれ延設されている。さらに詳述すると、該単独天板１６，１７は、先端（上端）へ行くほど幅狭となる略台形状であり、左右方向に延びる上端縁１６ｂ，１７ｂは、意匠性を向上させるために緩やかな凹凸を有する波型形状となっている。
【００３１】
さらに、前記単独天板１６の両側縁からは、左右一対のベース板１８，１９がベース板折曲線１８ａ，１９ａを介してそれぞれ延設されている。同様に、前記単独天板１７の両側縁からは、左右一対のベース板２０，２１がベース板折曲線２０ａ，２１ａを介してそれぞれ延設されている。また、前記ベース板１８と前記ベース板１９、並びに、前記ベース板２０と前記ベース板２１とは、各々互いに対称形状である。なお、前記ベース板１８〜２１の所要箇所には、接合用切込み溝１８ｂ，１９ｂ，２０ｂ，２１ｂがそれぞれ形成されている。
【００３２】
ここで、図６等に示すように、前記単独天板１６，１７が前記天板折曲線１６ａ，１７ａに沿ってそれぞれ山折りされ、さらに各ベース板１８〜２１が、該ベース板折曲線１８ａ〜２１ａに沿って山折りされると、該ベース板１８と該ベース板２１とが隣接し、かつ、ベース板１９とベース板２０とが隣接することとなる。そして、該ベース板１８の接合用切込み溝１８ｂと、これに隣接するベース板２１の接合用切込み溝２１ｂとを互いに食い込ませて、互いに隣り合う該ベース板１８と該ベース板２１とをつなぎ合わせることができる。また、同様に、ベース板１９の接合用切込み溝１９ｂとベース板２０の接合用切込み溝２０ｂとを互いに食い込ませて、互いに隣り合う該ベース板１９と該ベース板２０とをつなぎ合わせることができる。このように互いにつなぎ合わされたベース板１８〜２１により、接続複合板２２，２３がそれぞれ構成される。
【００３３】
なお、図５，６に示すように、接続複合板２２，２３におけるベース板１８〜２１には、前記接続複合板２２，２３が構成された状態で前記胴体部９の上縁に沿って配置される直線状の外縁部１８ｃ，１９ｃ，２０ｃ，２１ｃが形成されている。また、各ベース板１８〜２１には、後述する開口２４ａに臨む上端縁１８ｄ，１９ｄ，２０ｄ，２１ｄが形成されている。
【００３４】
〔カバー兼用天板〕
図１に示すように、前記の短手状の側壁５，７の各上部には、カバー兼用天板２５，２６がカバー兼用天板折曲線２５ａ，２６ａを介してそれぞれ延設されている。さらに詳述すると、該カバー兼用天板２５，２６は、前記接続複合板２２，２３と同形状であり、該接続複合板２２，２３を外側から被覆可能とされている。また、該カバー兼用天板２５，２６の両側縁からは、それぞれ差し込み片２７、２７が突設されている。そして、図６に示すように接続複合板２２，２３が構成された状態で、該差し込み片２７が前記ベース板折曲線１８ａ，１９ａ，２０ａ，２１ａ上に設けられた切れ込み溝２８に挿入されることで、図７に示すように該カバー兼用天板２５，２６が接続複合板２２，２３に固定され、該カバー兼用天板２５，２６と前記単独天板１６，１７とが連続する。
【００３５】
このように本体２が組み立てられると、図６，７に示すように、前記側壁４，６から前記胴体部９の軸心（内部）に向かって上方傾斜する前記単独天板１６，１７が形成されると共に、前記側壁５，７から前記胴体部９の軸心（内部）に向かって上方傾斜する前記カバー兼用天板２５，２６が形成される。そして、該単独天板１６，１７と、該カバー兼用天板２５，２６とが連続することにより、山型の立体形状をなした天板部２４が構成される。さらに、天板部２４の中央には、該単独天板１６，１７の上端縁１６ｂ，１７ｂ、及び該カバー兼用天板２５，２６の上端縁２５ｂ，２６ｂによって囲まれた空隙が形成される。そして、該空隙により、平面視矩矩形状の開口２４ａが構成される。なお、該本体２内であって、前記底板部１４上に束状のティッシュペーパー束ｔが配置される。
【００３６】
〔中板部材〕
さらに、図５に示すように前記紙製容器１の本体２内には中板部材３０が収容される。さらに詳述すると、該中板部材３０は、ティッシュペーパー束ｔの上側に配置されるものであり（図９参照）、図２に示されるような紙シート（ブランク）３１を折り曲げ加工して作製される。さらに詳述すると、該中板部材３０は、主要部となる矩形状の支持面３２を備えている。後述するように、該支持面３２は、前記紙製容器１の胴体部９に収容された際に該胴体部９と前記天板部２４との境界の高さ位置に配置される。また、該支持面３２の左右位置には、左右一対の脚部３３、３４が脚部折曲線３３ａ，３４ａを介して延設されている。また、該支持面３２の前後位置には、前後一対の帯板状の補強部３５，３６が補強部折曲線３５ａ，３６ａを介してそれぞれ延設されている。
【００３７】
なお、図９に示すように、前記脚部３３，３４の脚長さは、該胴体部９の高さに略等しく設定されており、該中板部材３０が該紙製容器１の本体２内に収容された際に該脚部３３，３４の先端が前記底板部１４に当接し、該支持面３２が該胴体部９と該天板部２４との境界位置に対応して配置される。
【００３８】
また、前記支持面３２の中央には、内容物であるティッシュペーパーＴを通過させる内容物通過口３７が貫通状に設けられている。さらに、該内容物通過口３７の周囲には、内容物通過口３７に挿通されたティッシュペーパーＴを保持するティッシュペーパー保持手段３８が設けられている。
【００３９】
前記ティッシュペーパー保持手段３８を詳説すると、前記支持面３２には、第一切れ込み溝３７ａと、該第一切れ込み溝３７ａの両端からさらに延出された第二切れ込み溝３７ｂとが設けられている。そして、該切れ込み溝３７ａ，３７ｂによって区画形成された開口部により、前記内容物通過口３７が構成されている。そして、該第二切れ込み溝３７ｂの端部同士をつなぐ線を保持折曲線３７ｃ，３７ｄとし、該保持折曲線３７ｃ，３７ｄが谷折りされることで、帯板状の立ち上がり部３９，３９が形成されている。すなわち該ティッシュペーパー保持手段３８は、中板部材３０が紙製容器１の胴体部９に収容された際に、互いに向かい合う一対の立ち上がり部３９，３９によって、支持面３２を基準とした該天板部２４側へ向かう突出構造をなす。これによって内容物であるティッシュペーパーＴが該内容物通過口３７を通過して天板部２４側に引き出されることを許容されると同時に、前記開口２４ａ近傍でティッシュペーパーＴを保持して、一度引き出されたティッシュペーパーＴに連続するように次のティッシュペーパーＴが引き出されるようにしている。
【００４０】
〔組立〕
このようにして前記中板部材３０が収容された前記紙製容器１は、未使用の状態においては図３，４に示すように天板部２４が折りたたまれて略直方体形状とされ、  一方、ティッシュケースとして使用する際には、図５に示すようにまず前記天板部２４の単独天板１６，１７及びカバー兼用天板２５，２６を展開し、その後、図６に示すように前記単独天板１６，１７から延設されているベース板１８〜２１をつなぎ合わせて接続複合板２２，２３を構成した上で、図７に示すように前記カバー兼用天板２５，２６を接続複合板２２，２３に固定して山型の天板部２４を構成する。
【００４１】
こうして組み立てられた前記紙製容器１は、例えば図８に示すように外表面にデザインＤを施すことで、天板部２４の山型形状を利用してティッシュペーパーＴがあたかも山頂を覆う雲や雪のように表現することができる。また、特に紙製容器１の外表面に噴火山のデザインＤが施された場合に限り、ティッシュペーパーＴがあたかも噴煙のように表現することができる。このため、本実施例の紙製容器１は、通常のティッシュペーパー容器よりも趣向を凝らしたものとして記念品や土産物等に利用することができる。ところで、図７，図８に示すように一番上のティッシュペーパーＴを前記開口２４ａから上方へはみ出して持ち上げた状態としておくと、使い勝手が良く、しかも見栄えに趣向性が生まれる。
【００４２】
なお、使用のためティッシュペーパーＴを抜き取った際には、ティッシュペーパー保持手段３８によってティッシュペーパーＴが本体２内で適切に保持されるため、誤って次のティッシュペーパーＴが胴体部９内へ落下してしまうことを防止することができる。
【００４３】
また、図１０に示すように前記胴体部９と前記天板部２４との境界には前記中板部材３０の支持面３２が配置されているため、天板部２４に外力Ｆが加えられた際に、前記ベース板１８，１９，２０，２１の外縁部１８ｃ，１９ｃ，２０ｃ，２１ｃが該支持面３２に当接することで、接続複合板２２，２３が内側に向けて過剰に歪むことが防止されている。したがって、該天板部２４は山型形状であるが十分に強度が確保される。なお、上記構成は、接続複合板２２，２３を被覆するようにカバー兼用天板２５，２６が設けられているため、天板部２４の強度が向上し、より一層確実に外力Ｆに対して押しつぶされてしまうことを防止することができる。なお、ベース板１８，１９，２０，２１の外縁部１８ｃ，１９ｃ，２０ｃ，２１ｃにより、本発明にかかる当接部が構成される。また、上記中板部材３０が胴体部９内に収容されていると、該中板部材３０によって側壁４〜７を内側から支持することができるため、該側壁４〜７が外力によって中心側に倒れ込んで撓んでしまうことも防止できる。
【００４４】
上記実施例以外、紙シート３，３１は厚紙、ダンボール等紙質のものであれば特に限定されない。また、紙シート３，３１の表面には、印刷層や光沢層等が積層されていてもよい。また、複数の紙シートによって紙製容器１が構成されていてもよい。
【００４５】
また、本実施例では胴体部９は直方体形状であったが、六角柱形状や八角柱形状等であっても構わない。また、開口２４ａの形状も上記実施例に限定されるものではない。また、前記単独天板１６，１７の上端縁１６ｂ、１７ｂは直線形状であっても構わない。
【００４６】
また、前記カバー兼用天板２５，２６がなく、接続複合板２２，２３が外部に露出して天板として機能しているものであってもよい。
【００４７】
前記ティッシュペーパー保持手段３８は、上記実施例に記載された構造に限定されるものではなく、ティッシュペーパーＴが胴体部９側へ落下してしまうことを防止することができるものであればよい。
【００４８】
また、底板１０〜１３によって底組されてなる底板部１４にあっては、あらかじめ形成された罫線を上向きに折り込んで、該底板部１４上に配される枚数が減ったティッシュペーパー束ｔを上側に持ち上げて開口２４ａからつまみ易くするようにしてもよい。
【００４９】
また、中板部材３０が使用されない構成も本発明に含まれる。そして、中板部材３０が使用されない構成にあって、紙製容器１内に既存のティッシュボックスを収容して使用しても構わない。このとき、収容する既存のティッシュボックスは、前記胴体部９の寸法形状に対応する直方体形状のものが適宜選択されることが望ましい。このような場合、該紙製容器１は、いわばティッシュカバーとして機能することとなる。なお、既存のティッシュボックスの上面に前記ベース板１８〜２１の外縁部１８ｃ〜２１ｃを当接可能とした場合、該ティッシュボックスの上面は支持面３２として機能する。
【００５０】
さらに、本発明の紙製容器はティッシュペーパー容器に限定されず、その他の菓子や土産物等の容器として利用されても構わない。
【符号の説明】
【００５１】
１                                      紙製容器
３                                      紙シート
４，５，６，７                          側壁
４ａ，５ａ，６ａ，７ａ                  側壁折曲線
９                                      胴体部
１４                                    底板部
１６，１７                              単独天板
１６ｂ，１７ｂ                          上端縁
１８，１９，２０，２１                  ベース板
１８ｃ，１９ｃ，２０ｃ，２１ｃ          外縁部
２２，２３                              接続複合板
２４                                    天板部
２４ａ                                  開口
２５，２６                              カバー兼用天板
３０                                    中板部材
３２                                    支持面
３７                                    内容物通過口
３８                                    ティッシュペーパー保持手段
【図１】
2015024837.tif 000003
【図２】
2015024837.tif 000004
【図３】
2015024837.tif 000005
【図４】
2015024837.tif 000006
【図５】
2015024837.tif 000007
【図６】
2015024837.tif 000008
【図７】
2015024837.tif 000009
【図８】
2015024837.tif 000010
【図９】
2015024837.tif 000011
【図１０】
2015024837.tif 000012